(57)【要約】【課題】より精度よく電動機の温度を検出する。【解決手段】分割コア３０ａ，３０ｂに貫通孔を形成する溝３６ａ，３６ｂを設け、予めかご形に形成された固定子用コイルのコイル支柱２３ａに取り付けられた温度検出素子２６からの導電ライン２８を配線する。分割コア３０ａ，３０ｂに溝３６ａ，３６ｂを設けることにより、固定子用コイル２２に直接に温度検出素子２６を取り付けることができる。この結果、冷却オイルの影響を受けることなく、より精度よく電動機の温度を検出することができる。このため、電動機の許容上限温度に大きなマージンを取る必要がなく、電動機の性能をより発揮させることができる。【選択図】図４
2011155742.tif 000002
【特許請求の範囲】
【請求項１】
かご形に形成された固定子用コイルに複数の分割コアを組み付けて固定子を形成する電動機であって、
前記複数の分割コアのうちの少なくとも一つの分割コアは、固定子を形成したときに隣接する分割コアの側面とにより径方向に固定子を貫通する貫通孔を形成するための溝が形成されてなり、
前記固定子用コイルの側部のうち固定子を形成したときに前記貫通孔に整合する側部に温度検出素子を取り付け、該温度検出素子に接続された導電ラインが前記貫通孔により外部に導かれるように前記固定子用コイルに前記複数の分割コアを組み付けてなる、
電動機。
【発明の詳細な説明】
【技術分野】
【０００１】
本発明は、電動機に関し、詳しくは、かご形に形成された固定子用コイルに複数の分割コアを組み付けて固定子を形成する電動機に関する。
【背景技術】
【０００２】
従来、この種の電動機としては、電動機のステータコアと巻線のコイルエンド部のトンネル状間隙にガイドで固定された温度検出素子を挿入して固定するものが提案されている（例えば、特許文献１参照）。この電動機では、上述のように温度検出素子を取り付けることにより、取り付けが容易で安定した温度検出精度を得ている。
【先行技術文献】
【特許文献】
【０００３】
【特許文献１】特開２００３−９２８５８号公報
【発明の概要】
【発明が解決しようとする課題】
【０００４】
しかしながら、上述の電動機では、冷却オイルを用いた冷却を行なうと、冷却オイルの影響を受ける結果、精度よく電動機の温度を検出することができず、電動機の過熱に対する保護のための上限温度に大きなマージンを取る必要が生じる。温度検出素子周辺の温度は、冷却オイルの吐出量や冷却オイルのかかり方などによって影響を受けるため、電動機の温度を精度よく検出するためには、冷却オイルの吐出等を考慮する必要がある。電気自動車やハイブリッド自動車に搭載される電動機では、車両の姿勢によっても冷却オイルのかかり方が異なるものとなるため、これらを考慮しないと精度よく電動機の温度を検出することができない。通常、電動機は、過熱により破損等を生じるため、駆動可能な許容上限温度を設け、この許容上限温度以下の温度で駆動されるが、電動機の温度を精度よく検出することができないと、許容上限温度に大きなマージンを取る必要があり、許容上限温度が低くなって、電動機の性能を十分に発揮することができなくなってしまう。
【０００５】
本発明の電動機は、より精度よく電動機の温度を検出することを主目的とする。
【課題を解決するための手段】
【０００６】
本発明の電動機は、上述の主目的を達成するために以下の手段を採った。
【０００７】
本発明の電動機は、
かご形に形成された固定子用コイルに複数の分割コアを組み付けて固定子を形成する電動機であって、
前記複数の分割コアのうちの少なくとも一つの分割コアは、固定子を形成したときに隣接する分割コアの側面とにより径方向に固定子を貫通する貫通孔を形成するための溝が形成されてなり、
前記固定子用コイルの側部のうち固定子を形成したときに前記貫通孔に整合する側部に温度検出素子を取り付け、該温度検出素子に接続された導電ラインが前記貫通孔により外部に導かれるように前記固定子用コイルに前記複数の分割コアを組み付けてなる、
ことを要旨とする。
【０００８】
この本発明の電動機は、かご形に形成された固定子用コイルに取り付けられた温度検出素子の導電ラインを分割コアに形成された貫通孔を用いて外部に導く。従って、温度検出素子を固定子内部の固定子用コイルに直接取り付けることができるから、冷却オイルの影響を受けることなく、より精度よく電動機の温度を検出することができる。このため、電動機の許容上限温度に大きなマージンを取る必要がなく、電動機の性能をより発揮させることができる。
【図面の簡単な説明】
【０００９】
【図１】本発明の一実施例としての電動機の固定子２０構成の概略を示す構成図である。
【図２】固定子２０の固定子用コイル２２の構成の概略を示す構成図である。
【図３】固定子２０の分割コア３０ｂの構成を示す構成図である。
【図４】分割コア３０ａと分割コア３０ｂとを整合した様子を示す説明図である。
【図５】固定子２０を分割コア３０ａと分割コア３０ｂとの整合面で破断して分割コア３０ｂ側からみたときの断面図である。
【発明を実施するための形態】
【００１０】
次に、本発明を実施するための形態を実施例を用いて説明する。
【実施例】
【００１１】
図１は本発明の一実施例としての電動機の固定子２０構成の概略を示す構成図であり、図２は固定子２０の固定子用コイル２２の構成の概略を示す構成図であり、図３は固定子２０の分割コア３０ｂの構成を示す構成図であり、図４は分割コア３０ａと分割コア３０ｂとを整合した様子を示す説明図であり、図５は固定子２０を分割コア３０ａと分割コア３０ｂとの整合面で破断して分割コア３０ｂ側からみたときの断面図である。
【００１２】
実施例の電動機の固定子２０は、図１に示すように、かご形に形成された固定子用コイル２２に複数の分割コア３０ａ〜３０ｆを組み付けてケース４０に収納して構成されている。
【００１３】
固定子用コイル２２は、図２に示すように、コイル支柱２３ａ〜２３ｌを有する円筒状のかご形に形成されており、コイル支柱２３ａの中央にはサーミスタなどの温度検出素子２６が取り付けられており、この温度検出素子２６には導電ライン２８が取り付けられている。
【００１４】
複数の分割コア３０ａ〜３０ｆは、図３に例示する分割コア３０ｂに示すように、内周向きに二つの櫛歯３２ｂ，３４ｂが形成された扇形をしており、組み付けると内周に複数の櫛歯３２ａ〜３２ｆ，３４ａ〜３４ｆを有する円筒を構成するよう形成されており、複数の分割コア３０ａ〜３０ｆのうち分割コア３０ａと分割コア３０ｂの整合面には、図３および図４に示すように、径方向に貫通孔３８を形成するための溝３６ａ，３６ｂが形成されている。
【００１５】
ケース４０は、フランジ付きの円筒形に形成されており、分割コア３０ａと分割コア３０ｂとの整合面に整合する位置の中央から下方に向けて内側から外側に凸となる溝４２が形成されている。
【００１６】
実施例の固定子２０は、固定子用コイル２２のコイル支柱２３ａの中央の温度検出素子２６に取り付けられた導電ライン２８が分割コア３０ａ，３０ｂの溝３６ａ，３６ｂにより形成される貫通孔３８に配線されるよう配置して固定子用コイル２２に複数の分割コア３０ａ〜３０ｆを組み付け、この組み付けたものを導電ライン２８がケース４０に形成された溝４２に配置されるようケース４０に収納して完成する。
【００１７】
このように、導電ライン２８を配線する貫通孔３８を形成するよう分割コア３０ａ，３０ｂに溝３６ａ，３６ｂを設けることにより、固定子用コイル２２に直接に温度検出素子２６を取り付けることができる。
【００１８】
以上説明した実施例の電動機によれば、分割コア３０ａ，３０ｂに貫通孔３８を形成する溝３６ａ，３６ｂを設け、固定子用コイル２２に取り付けられた温度検出素子２６からの導電ライン２８を配線することにより、固定子用コイル２２に直接に温度検出素子２６を取り付けることができる。この結果、冷却オイルの影響を受けることなく、より精度よく電動機の温度を検出することができる。このため、電動機の許容上限温度に大きなマージンを取る必要がなく、電動機の性能をより発揮させることができる。
【００１９】
実施例の主要な要素と課題を解決するための手段の欄に記載した発明の主要な要素との対応関係について説明する。実施例では、固定子用コイル２２が「固定子用コイル」に相当し、複数の分割コア３０ａ〜３０ｆが「複数の分割コア」に相当し、固定子２０が「固定子」に相当し、分割コア３０ａ，３０ｂの溝３６ａ，３６ｂが「溝」に相当し、導電ライン２８が「導電ライン」に相当する。
【００２０】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００２１】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００２２】
本発明は、電動機の製造産業などに利用可能である。
【符号の説明】
【００２３】
２０  固定子、２２  固定子用コイル、２３ａ〜２３ｌ  コイル支柱、２６  温度検出素子、２８  導電ライン、３０ａ〜３０ｆ  複数の分割コア、３２ａ〜３２ｆ，３４ａ〜３４ｆ  櫛歯、３６ａ，３６ｂ  溝、３８  貫通孔、４０  ケース、４２  溝。
【図１】
2011155742.tif 000003
【図２】
2011155742.tif 000004
【図３】
2011155742.tif 000005
【図４】
2011155742.tif 000006
【図５】
2011155742.tif 000007